(57)【要約】【課題】優先権の設定が容易で、制御部の負荷を低減することのできる給湯器用リモコン装置を提供する。【解決手段】台所側リモコン装置２０Ｂに優先して給湯器本体２０を操作することができる優先権を設定可能な優先権設定ボタン１３ａと、所定情報を表示する表示部１２とを備え、給湯器本体２０を遠隔操作する風呂側リモコン装置１０Ａにおいて、表示部１２に所定情報を表示していないとき、かつ、優先権を設定可能なときに、優先権設定ボタン１３ａの押された時間の長さに基づいて、表示部１２に所定情報を表示するとともに優先権を設定する制御部１１を備える。【選択図】図１
2008232505.tif 000002
【特許請求の範囲】
【請求項１】
他のリモコン装置に優先して給湯器本体を操作することができる優先権を設定可能な優先権設定ボタンと、所定情報を表示する表示部とを備え、給湯器本体を遠隔操作する給湯器用リモコン装置において、
表示部に所定情報を表示していないとき、かつ、優先権を設定可能なときに、優先権設定ボタンの押された時間の長さに基づいて、表示部に所定情報を表示するとともに優先権を設定する制御部を備える
ことを特徴とする給湯器用リモコン装置。
【請求項２】
前記表示部に所定情報を表示しているとき、かつ、優先権を設定しているときに、優先権設定ボタンの押された時間の長さに基づいて、表示部の前記所定情報を消去するとともに優先権を解除する手段を制御部が有する
ことを特徴とする請求項１に記載の給湯器用リモコン装置。
【請求項３】
前記表示部に所定情報を表示していないときに、優先権設定ボタンの押された時間の長さに基づいて表示部に所定情報を表示する手段を制御部が有する
ことを特徴とする請求項１又は２に記載の給湯器用リモコン装置。
【請求項４】
前記優先権を設定しているときに、優先権設定ボタンの押された時間の長さに基づいて、優先権の解除のみを行う手段を制御部が有する
ことを特徴とする請求項１乃至３の何れかに記載の給湯器用リモコン装置。
【請求項５】
前記優先権を設定可能なときに、優先権設定ボタンの押された時間の長さに基づいて、優先権の設定のみを行う手段を制御部が有する
ことを特徴とする請求項１乃至４の何れかに記載の給湯器用リモコン装置。
【請求項６】
前記優先権を設定しているか否かを表示する優先権設定表示部を備える
ことを特徴とする請求項１乃至５の何れかに記載の給湯器用リモコン装置。
【発明の詳細な説明】
【技術分野】
【０００１】
本発明は、例えば浴室や台所等の給湯を遠隔操作する給湯器用リモコン装置に関するものである。
【背景技術】
【０００２】
従来、この種の給湯器用リモコン装置として、浴室優先スイッチを備えた浴室リモコン装置であって、通常は浴室リモコン装置以外の台所リモコン等に給湯温度の設定変更が可能なように設定されているものを、浴室優先スイッチを押すごとに浴室優先と優先解除を繰り返すようにしたものが知られている（例えば特許文献１参照。）。
【０００３】
また、従来の給湯器用リモコン装置には、表示部のオンオフを切り換える電源ボタンが設けられており、あるいは電源ボタンがない場合に、給湯器用リモコン装置に設けられた何れかのボタンを押すことにより表示オフから表示オンに切り換えていた。
【特許文献１】特開２００６−３３６９３４号公報
【発明の開示】
【発明が解決しようとする課題】
【０００４】
しかしながら、従来の給湯器用リモコン装置では、表示オフのときに給湯の優先権を取得するために、電源ボタンを押して表示オンにしてから優先ボタンを押す必要があり、操作が煩雑であるという問題点があった。
【０００５】
また、電源ボタンが設けられていない場合、給湯器用リモコン装置の制御部は表示オフのときに、全てのボタンについてボタンが押されたか否かを監視する必要があり、制御部の負荷が大きいという問題点があった。
【０００６】
本発明は前記問題点に鑑みてなされたものであり、その目的とするところは、優先権の設定が容易で、制御部の負荷を低減することのできる給湯器用リモコン装置を提供することにある。
【課題を解決するための手段】
【０００７】
本発明は前記目的を達成するために、他のリモコン装置に優先して給湯器本体を操作することができる優先権を設定可能な優先権設定ボタンと、所定情報を表示する表示部とを備え、給湯器本体を遠隔操作する給湯器用リモコン装置において、表示部に所定情報を表示していないとき、かつ、優先権を設定可能なときに、優先権設定ボタンの押された時間の長さに基づいて、優先権を設定するとともに表示部に所定情報を表示する制御部を備える給湯器用リモコン装置を提案する。
【０００８】
この給湯器用リモコン装置によれば、表示部に所定情報を表示していないとき、かつ、優先権を設定可能なときに、優先権設定ボタンの押された時間の長さに基づいて、優先権が設定されるとともに表示部に所定情報が表示されるので、優先権を設定する際に、表示部に所定情報を表示するためだけに操作をする必要がなく、また、表示部に所定情報を表示するために、制御部は優先権設定ボタンのみを監視していればよい。
【発明の効果】
【０００９】
本発明によれば、優先権を設定する際に、表示部に所定情報を表示するためだけに操作をする必要がないことから、操作回数を少なくすることができ、容易に優先権を設定することができる。また、表示部に所定情報を表示するために、制御部は優先権設定ボタンのみを監視していればよいことから、監視すべきボタン数を減らすことができ、制御部の負荷を低減することができる。
【発明を実施するための最良の形態】
【００１０】
図１乃至図４は本発明の一実施形態を示すもので、図１は給湯システムの概略構成図、図２は図１に示した風呂側リモコン装置の正面図、図３は表示部に情報を表示していないときの風呂側リモコン装置の動作を説明するフローチャート、図４は表示部に情報を表示しているときの風呂側リモコン装置の動作を説明するフローチャートである。
【００１１】
図１に示すように、給湯システムは、同一構成の２つの給湯器用リモコン装置１０Ａ，１０Ｂ（以下、風呂側リモコン装置１０Ａ、台所側リモコン１０Ｂという）と、給湯器本体２０とから構成されており、風呂側リモコン装置１０Ａ、台所側リモコン１０Ｂ、及び給湯器本体２０は、有線又は無線で互いに接続されている。
【００１２】
本実施形態では、給湯システムが２つの給湯器用リモコン装置を備えるようにしたが、これに限定されず、３つ以上備えていてもよい。また、以下において、特に記載のない限り、風呂側リモコン装置１０Ａの説明をもって台所側リモコン装置１０Ｂの説明を省略する。
【００１３】
風呂側リモコン装置１０Ａは、制御部１１、表示部１２、操作部１３、電源部１４、通信部１５、及び音声制御部１６を備えていている。
【００１４】
制御部１１は、風呂側リモコン装置１０Ａ全体を制御するためのものであり、表示部１２、操作部１３、通信部１５、及び音声制御部１６が接続されている。また、制御部１１はＣＰＵ及びＲＡＭ、ＲＯＭ等のメモリを備えた周知のコンピュータからなり、自己のメモリ内に格納されたプログラムと操作部１３及び通信部１５から入力されたデータとに基づいて制御信号又はデータを出力している。
【００１５】
表示部１２は、図２に示すように、風呂側リモコン装置１０Ａの中央上部に設けられており、制御部１１から入力される制御信号及びデータに基づいて、給湯温度、タンク湯量、ふろ設定温度、現在時刻等の所定情報を表示し、又は消去している。制御部１１は、表示部１２に情報を表示しているときに表示オンデータを台所側リモコン装置１０Ｂ及び給湯器本体２０にそれぞれ送信している。また、制御部１１は、表示部１２に情報を表示しているとき、後述する操作部１３から一定時間以上オン信号が入力されない場合に、表示部１２に表示していた情報を自動的に全て消去するようになっている。
【００１６】
操作部１３は、表示部１１の下方に設けられた優先権設定ボタン１３ａ及びその他の各種ボタンに接続しており、各ボタンが押されいるときにオン信号を制御部１１にそれぞれ出力している。また、操作部１３は、制御部１１から入力された制御信号に基づいて、優先権設定ボタン１２ａ内の上部中央に設けられたＬＥＤ等からなる優先権設定ランプ１３ｂを、優先権を設定しているときに点灯し、優先権を設定していないときに消灯している。これにより、優先権を設定しているか否かが容易に見分けられる。
【００１７】
電源部１４は、風呂側リモコン装置１０Ａの外部にある電源（図示せず）から風呂側リモコン装置１０Ａ全体に電力を供給している。
【００１８】
通信部１５は、台所側リモコン装置１０Ｂ又は給湯器本体２０と通信するためのものであり、制御部１１から入力された制御信号に基づいて、台所側リモコン装置１０Ｂ又は給湯器本体２０にデータを送信するとともに、台所側リモコン装置１０Ｂ又は給湯器本体２０からデータを受信して制御部１１に出力している。
【００１９】
音声制御部１６は、マイク１６ａ及びスピーカ１６ｂを介して台所側リモコン装置１０Ｂと通話をするためのものであり、制御部１１から入力された制御信号に基づいて、マイク１６ａから入力された音声に基づく音声データを台所側リモコン装置１０Ｂに出力するともに、台所側リモコン装置１０Ｂから入力された音声データに基づく音声をスピーカ１６ｂに出力している。
【００２０】
給湯器本体２０は、貯湯タンク(図示せず）から給湯しているときに、風呂側リモコン装置１０Ａ及び台所側リモコン装置１０Ｂに給湯データを送信している。
【００２１】
風呂側リモコン装置１０Ａは、台所側リモコン装置１０Ｂに優先して給湯器本体２０を操作することができる優先権を設定し、又は解除する際に、表示部１２に情報を表示しているか否かによって異なる動作をする。
【００２２】
すなわち、表示部１２に情報を表示していない場合に、図３に示すように、制御部１１は、操作部１３から優先権設定ボタン１３ａのオン信号が入力されたか否かを判定し（ステップＳ１１）、優先権設定ボタン１３ａのオン信号が入力されるまでステップＳ１１の処理を繰り返す。これにより、表示部１２に情報を表示するために、制御部１１は優先権設定ボタン１３ａのみを監視していればよい。
【００２３】
優先権設定ボタン１３ａのオン信号が入力された場合に、制御部１１は、優先権設定ボタン１３ａのオン信号が入力されている時間が一定時間以下か否かを判定する（ステップＳ１２）。
【００２４】
優先権設定ボタン１３ａのオン信号が入力されている時間が一定時間以下の場合、すなわち優先権設定ボタン１３ａの押された時間の長さが一定時間以下（以下、短押しという）の場合に、制御部１１は、自己のメモリの優先権設定データを検索して優先権を設定しているか否かを判定する（ステップＳ１３）。
【００２５】
優先権を設定していない場合、すわなち自己のメモリに優先権設定データがある場合に、制御部１１は、通信部１５を介して台所側リモコン装置１０Ｂ及び給湯器本体２０と通信し、台所側リモコン装置１０Ｂから受信する表示オンデータと給湯器本体２０から受信する給湯データとに基づいて、優先権を設定可能か否かを判定する(ステップＳ１４)。
【００２６】
優先権を設定可能な場合、すなわち台所側リモコン装置１０Ｂから表示オンデータを受信せず、かつ、給湯器本体２０から給湯データを受信しない場合に、制御部１１は、表示部１２に所定情報を表示するとともに、操作部１３を介して優先権設定ランプ１３ｂを点灯して優先権を設定し、表示部１２に「優先になりました。」というメッセージを表示する（ステップＳ１５）。これにより、優先権を設定する際に、表示部１２に情報を表示するためだけに操作をする必要がない。
【００２７】
このとき、制御部１１は、優先権設定データを自己のメモリに記憶するとともに、通信部１５を介して台所側リモコン装置１０Ｂ及び給湯器本体２０に優先権解除データを送信する。優先権解除データを受信した台所側リモコン装置１０Ｂの制御部１１は、自己のメモリに優先権設定データを記憶していた場合に、当該優先権設定データを消去する。これにより、台所側リモコン装置１０Ｂから風呂側リモコン装置１０Ａに優先権が遷移する。
【００２８】
ステップＳ１２の判定の結果、優先権設定ボタン１３ａのオン信号が入力されている時間が一定時間より長い場合、すなわち優先権設定ボタン１３ａの押された時間の長さが一定時間より長い（以下、長押しという）場合に、制御部１１は表示部１２に所定情報を表示する（ステップＳ１６）。これにより、優先権を設定することなく、情報の表示がなされる。
【００２９】
ステップＳ１３の判定の結果、優先権を設定している場合、例えば優先権を設定した後、ボタンを操作することなく一定時間が経過して表示部１２の情報が自動的に消去した場合に、制御部１１は表示部１２に所定情報を表示する(ステップＳ１７）。
【００３０】
ステップＳ１４の判定の結果、優先権を設定不能な場合、すなわち台所側リモコン装置１０Ｂから表示オンデータを受信し、あるいは、給湯器本体２０から給湯データを受信した場合に、制御部１１は、表示部１２に所定情報を表示する(ステップＳ１８）。
【００３１】
本実施形態では、優先権設定ボタン１３ａの短押しの場合に表示部１２に情報を表示するとともに優先権を設定し、優先権設定ボタン１３ａの長押しの場合に優先権を設定せずに表示部１２に情報を表示しているが、これに限定されず、短押しの場合に優先権を設定せずに表示部１２に情報を表示し、長押しの場合に表示部１２に情報を表示するとともに優先権を設定するようにしてもよい。
【００３２】
一方、表示部１２に情報を表示している場合に、図４に示すように、制御部１１は、操作部１３から優先権設定ボタン１３ａのオン信号が入力されたか否かを判定し（ステップＳ２１）、優先権設定ボタン１３ａのオン信号が入力されるまでステップＳ２１の処理を繰り返す。
【００３３】
優先権設定ボタン１３ａのオン信号が入力された場合に、制御部１１は、優先権設定ボタン１３ａのオン信号が入力されている時間が一定時間以下か否かを判定する（ステップＳ２２）。
【００３４】
優先権設定ボタン１３ａのオン信号が入力されている時間が一定時間以下の場合、すなわち短押しの場合に、制御部１１は、自己のメモリの優先権設定データを検索して優先権を設定しているか否かを判定する（ステップＳ２３）。
【００３５】
優先権を設定していない場合、すわなち自己のメモリに優先権設定データがある場合に、制御部１１は、通信部１５を介して台所側リモコン装置１０Ｂ及び給湯器本体２０と通信し、台所側リモコン装置１０Ｂから受信する表示オンデータと給湯器本体２０から受信する給湯データとに基づいて、優先権を設定可能か否かを判定する(ステップＳ２４)。
【００３６】
優先権を設定可能な場合、すなわち台所側リモコン装置１０Ｂから表示オンデータを受信せず、かつ、給湯器本体２０から給湯データを受信しない場合に、制御部１３は、優先権設定ランプ１３ｂを点灯して優先権を設定するとともに、表示部１２に「優先になりました。」というメッセージを表示する（ステップＳ２５）。これにより、表示部１２の状態を変化させることなく、優先権の設定のみがなされる。
【００３７】
このとき、制御部１１は、優先権設定データを自己のメモリに記憶するとともに、通信部１５を介して台所側リモコン装置１０Ｂ及び給湯器本体２０に優先権解除データを送信する。優先権解除データを受信した台所側リモコン装置１０Ｂの制御部１１は、自己のメモリに優先権設定データを記憶していた場合に、当該優先権設定データを消去する。これにより、台所側リモコン装置１０Ｂから風呂側リモコン装置１０Ａに優先権が遷移する。
【００３８】
ステップＳ２２の判定の結果、優先権設定ボタン１３ａのオン信号が入力されている時間が一定時間より長い場合、すなわち長押しの場合に、制御部１１は、自己のメモリの優先権設定データを検索して優先権を設定しているか否かを判定する（ステップＳ２６）。
【００３９】
優先権を設定していない場合、すわなち自己のメモリに優先権設定データがない場合に、制御部１１は、表示部１２に表示していた情報を全て消去する(ステップＳ２７）。
【００４０】
優先権を設定している場合、すわなち自己のメモリに優先権設定データがある場合に、制御部１１は、表示部１２に表示していた情報を全て消去するとともに、自己のメモリの優先権設定データを消去し、操作部１３を介して優先権設定ランプ１３ｂを消灯して優先権を解除する（ステップＳ２８）。これにより、優先権を解除する際に、表示部１２の情報を消去するためだけに操作をする必要がない。
【００４１】
ステップＳ２３の判定の結果、優先権を設定している場合、すわなち自己のメモリに優先権設定データがある場合に、制御部１１は、自己のメモリの優先権設定データを消去し、操作部１３を介して優先権設定ランプ１３ｂを消灯して優先権を解除するとともに、表示部１２に「優先が解除されました。」というメッセージを表示する（ステップＳ２９）。これにより、表示部１２の状態を変化させることなく、優先権の解除のみがなされる。
【００４２】
ステップＳ２４の判定の結果、優先権を設定不能な場合、すなわち台所側リモコン装置１０Ｂから表示オンデータを受信し、あるいは、給湯器本体２０から給湯データを受信した場合に、制御部１１は、表示部１２に「優先権を設定できません」というメッセージを表示する(ステップＳ３０）。なお、制御部１１は、メッセージに代えて又はメッセージとともに、音声制御部１６を介してスピーカ１６ｂから音声や電子音を出力するようにしてもよい。
【００４３】
本実施形態では、優先権設定ボタン１３ａの短押しの場合に優先権を解除し若しくは設定し、優先権設定ボタン１３ａの長押しの場合に、表示部１２の情報を消去するとともに優先権を解除しているが、これに限定されず、短押しの場合に表示部１２の情報を消去するとともに優先権を解除し、長押しの場合に優先権を解除し若しくは設定するようにしてもよい。また、ステップＳ１４及びステップＳ２４では、制御部１１は、台所側リモコン装置１０Ｂから受信する表示オンデータと給湯器本体２０から受信する給湯データとに基づいて、優先権を設定可能か否かを判定しているが、これに限定されず、制御部１１は、他のデータ又は自己のメモリに記憶したプログラムに基づいて優先権を設定可能か否かを判定するようにしてもよい。例えば、ステップＳ１３及びステップＳ２３の判定の結果、優先権を設定していない場合、すわなち自己のメモリに優先権設定データがある場合に、台所側リモコン装置１０Ｂが表示部１２に情報を表示しているか否か、又は給湯器本体２０が貯湯タンク(図示せず）から給湯している否かにかかわらず、制御部１１は優先権設定データに基づいて優先権を設定可能と判定するようにしてもよい。
【００４４】
このように、本発明によれば、表示部１２に所定情報を表示していないとき、かつ、優先権を設定可能なときに、設定ボタン１３ａの押された時間の長さが一定時間以下の場合、表示部１２に所定情報を表示するとともに、優先権設定ランプ１３ｂを点灯して優先権を設定するので、優先権を設定する際に、表示部１２に所定情報を表示するためだけに操作をする必要がないことから、操作回数を少なくすることができ、容易に優先権を設定することができる。また、操作部１３から優先権設定ボタン１３ａのオン信号が入力されたか否かを判定し、優先権設定ボタン１３ａのオン信号が入力されるまで繰り返すので、表示部１２に所定情報を表示するために、制御部１１は優先権設定ボタン１３ａのみを監視していればよいことから、監視すべきボタン数を減らすことができ、制御部１１の負荷を低減することができる。
【００４５】
また、表示部１２に所定情報を表示しているとき、かつ、優先権を設定しているときに、設定ボタン１３ａの押された時間の長さが一定時間より長い場合、表示部１２に表示していた情報を全て消去するとともに、優先権設定ランプ１３ｂを消灯して優先権を解除するので、優先権を解除する際に、表示部１２の情報を消去するためだけに操作をする必要がないことから、操作回数を少なくすることができ、容易に情報を消去するとともに優先権を解除することができる。
【００４６】
さらに、表示部１２に所定情報を表示していないときに、優先権設定ボタン１３ａの押された時間の長さが一定時間より長い場合、表示部１２に所定情報を表示するので、優先権を設定することなく、情報の表示がなされることから、情報を表示するためだけのボタンを設ける必要がなく、制御部１１の負荷を更に低減することができる。
【００４７】
さらにまた、優先権を設定しているときに、設定ボタン１３ａの押された時間の長さが一定時間以下の場合、優先権設定ランプ１３ｂを消灯して優先権を解除するので、表示部１２の状態を変化させることなく、優先権の解除のみがなされることから、情報を表示し又は消去するためだけのボタンを設ける必要がなく、制御部１１の負荷を更に低減することができる。
【００４８】
さらにまた、優先権を設定可能なときに、設定ボタン１３ａの押された時間の長さが一定時間以下の場合、優先権設定ランプ１３ｂを点灯して優先権を設定するので、表示部１２の状態を変化させることなく、優先権の設定のみがなされることから、情報を表示し又は消去するためだけのボタンを設ける必要がなく、制御部１１の負荷を更に低減することができる。
【００４９】
さらにまた、優先権を設定しているときに優先権設定ランプ１３ｂを点灯し、優先権を設定していないときに優先権設定ランプ１３ｂを消灯しているので、優先権を設定しているか否かが容易に見分けられることから、優先権を設定しているときに優先権の設定操作をする等の誤操作を防止することができ、さらに容易に優先権を設定し又は解除することができる。
【００５０】
なお、本発明の構成は、前記実施形態にのみ限定されるものではなく、本発明の要旨を逸脱しない範囲内において種々変更を加えてもよい。
【図面の簡単な説明】
【００５１】
【図１】給湯システムの概略構成図
【図２】図１に示した風呂側リモコン装置の正面図
【図３】表示部に情報を表示していないときの風呂側リモコン装置の動作を説明するフローチャート
【図４】表示部に情報を表示しているときの風呂側リモコン装置の動作を説明するフローチャート
【符号の説明】
【００５２】
１０Ａ…風呂側リモコン装置、１０Ｂ…台所側リモコン装置、２０…給湯器本体、１２…表示部、１３ａ…優先権設定ボタン、１３ｂ…優先権設定ランプ。
【図１】
2008232505.tif 000003
【図２】
2008232505.tif 000004
【図３】
2008232505.tif 000005
【図４】
2008232505.tif 000006